【手続補正書】
【提出日】平成16年5月19日(2004.5.19)
【手続補正１】
【補正対象書類名】明細書
【補正対象項目名】特許請求の範囲
【補正方法】変更
【補正の内容】
【特許請求の範囲】
【請求項１】
浴槽から吸い込んだ浴水を低温から高温に加熱可能としたヒータと、微細なごみ及び汚れなる不純物を浴水から濾過するフィルタと、浴水を循環させるための循環ポンプとを含み、該循環ポンプにて浴水が浴槽から浴槽に戻るように循環する循環管路と、該循環管路の吸込み側寄りの適宜な箇所と前記循環管路の流出側寄りの適宜な箇所とを連結する連結管路とからなり、管路洗浄時には、循環管路内に設けた管路温度検知手段で検知して、浴水をヒータにて高温にしつつ連結管路を介して循環して、熱水にて循環管路を熱水洗浄するようにしたことを特徴とする浴水循環装置における管路浄化装置。
【請求項２】
浴水を低温から高温に加熱可能としたヒータと、微細なごみ及び汚れなる不純物を浴水から濾過するフィルタと、浴水を循環させるための循環ポンプと、該循環ポンプにて浴水が浴槽から浴槽に戻るように循環する循環管路と、該循環管路の吸込み側寄りの適宜な箇所と前記循環管路の流出側寄りの適宜な箇所とを連結する連結管路とからなり、管路洗浄時には、循環管路内の浴水をヒータにて高温にしつつ連結管路を介して循環可能とし、排水時には、浴槽内の浴水と前記循環管路内の高温の浴水とを混合させて浴槽の外側に排出可能としてなることを特徴とする浴水循環装置における管路浄化装置。
【請求項３】
浴水を低温から高温に加熱可能としたヒータと、微細なごみ及び汚れなる不純物を浴水から濾過するフィルタと、浴水を循環させるための循環ポンプと、該循環ポンプにて浴水が浴槽から浴槽に戻るように循環する循環管路と、該循環管路の吸込み側寄りの適宜な箇所と前記循環管路の流出側寄りの適宜な箇所とを連結する連結管路と、前記循環管路で連結管路接続箇所よりも吸込み側寄りに設けた第１開閉弁と、前記連結管路と循環管路の流出側寄りとの連結箇所に設けた第２三方弁と、前記循環管路で連結管路接続箇所よりも排出側寄りに設けた排水用三方弁とからなり、管路洗浄時には、前記各弁の切替えにより循環管路内の浴水をヒータにて高温にしつつ連結管路を介して循環可能とし、排水時にも、前記各弁の切替えにより浴槽内の浴水と前記循環管路内の高温の浴水とを混合させて浴槽の外側に排出可能としてなることを特徴とする浴水循環装置における管路浄化装置。
【請求項４】
請求項１,２又は３において、更に管路洗浄するために洗浄開始を命令する洗浄スイッチと、該洗浄スイッチに応答して洗浄時間を計測する洗浄計測手段とを備えてなることを特徴とする浴水循環装置における管路浄化装置。
【請求項５】
請求項２又は３において、更に管路洗浄時の洗浄時間を開始・制御する洗浄指令手段と、前記管路洗浄，排水等のために制御する弁制御手段とを備え、前記洗浄指令手段は、洗浄開始時間を設定する時間設定部と、設定された洗浄開始時間と洗浄時間を記憶する時間記憶部とを有してなることを特徴とする浴水循環装置における管路浄化装置。
【手続補正２】
【補正対象書類名】明細書
【補正対象項目名】０００４
【補正方法】変更
【補正の内容】
【０００４】
【発明が解決しようとする課題】
そこで発明者は、前記課題を解決することを目的とし、鋭意，研究を重ねた結果、その発明を、浴槽から吸い込んだ浴水を低温から高温に加熱可能としたヒータと、微細なごみ及び汚れなる不純物を浴水から濾過するフィルタと、浴水を循環させるための循環ポンプとを含み、該循環ポンプにて浴水が浴槽から浴槽に戻るように循環する循環管路と、該循環管路の吸込み側寄りの適宜な箇所と前記循環管路の流出側寄りの適宜な箇所とを連結する連結管路とからなり、管路洗浄時には、循環管路内に設けた管路温度検知手段で検知して、浴水をヒータにて高温にしつつ連結管路を介して循環して、熱水にて循環管路を熱水洗浄するようにした浴水循環装置における管路浄化装置としたことにより、前記課題を解決した。また、本発明は、浴水を低温から高温に加熱可能としたヒータと、微細なごみ及び汚れなる不純物を浴水から濾過するフィルタと、浴水を循環させるための循環ポンプと、該循環ポンプにて浴水が浴槽から浴槽に戻るように循環する循環管路と、該循環管路の吸込み側寄りの適宜な箇所と前記循環管路の流出側寄りの適宜な箇所とを連結する連結管路とからなり、管路洗浄時には、循環管路内の浴水をヒータにて高温にしつつ連結管路を介して循環可能とし、排水時には、浴槽内の浴水と前記循環管路内で浄化した浴水とを混合させて浴槽の外側に排出可能としてなる浴水循環装置における管路浄化装置等としたことにより、熱水にて循環管路を熱水洗浄することができ、排出時には浴槽内の浴水との混合で火傷等しないように安全に排出させることができ、前記の課題を解決した。
【手続補正３】
【補正対象書類名】明細書
【補正対象項目名】００２３
【補正方法】変更
【補正の内容】
【００２３】
【発明の効果】
まず、請求項１の発明では、管路洗浄を熱水殺菌で行なうために、極めて安全且つ衛生的にできる。また、請求項２の発明では、浴水を低温から高温に加熱可能としたヒータ１と、微細なごみ及び汚れなる不純物を浴水から濾過するフィルタ２と、浴水を循環させるための循環ポンプＰと、該循環ポンプＰにて浴水が浴槽１０から浴槽１０に戻るように循環する循環管路５と、該循環管路５の吸込み側寄りの適宜な箇所と前記循環管路５の流出側寄りの適宜な箇所とを連結する連結管路６とからなり、管路洗浄時には、循環管路５内の浴水をヒータ１にて高温にしつつ連結管路６を介して循環可能とし、排水時には、浴槽１０内の浴水と前記循環管路内で浄化した浴水とを混合させて浴槽１０の外側に排出可能としてなる浴水循環装置における管路浄化装置としたことにより、第１に排水は、浴槽１０内の浴水と前記循環管路内で浄化した浴水とを混合させてなり、かなり低温化しており、入浴者等にとっても火傷等の危険性を回避できる。特に、熱水殺菌で行なうために、レジオネラ菌のみならず、クリプトスポリジウム菌等に対しても死滅させることができ、極めて安全且つ衛生的であるし、第２に別途殺菌剤を投入する手間が省け、管路洗浄がいつでも簡単にできるし、第３に作業者が殺菌剤及びその排水に接触する可能性がないために安全に洗浄作業を行うことができ、第４に管路洗浄終了後、循環路を切替えることで洗浄後の熱水化した汚水は直接浴槽に排水されず排水管を介して排水口に排出されるため浴槽１０のすすぎの手間もない等の利点がある。
【手続補正４】
【補正対象書類名】明細書
【補正対象項目名】００２４
【補正方法】変更
【補正の内容】
【００２４】
また、請求項３の発明では、浴水を低温から高温に加熱可能としたヒータ１と、微細なごみ及び汚れなる不純物を浴水から濾過するフィルタ２と、浴水を循環させるための循環ポンプＰと、該循環ポンプＰにて浴水が浴槽１０から浴槽１０に戻るように循環する循環管路５と、該循環管路５の吸込み側寄りの適宜な箇所と前記循環管路５の流出側寄りの適宜な箇所とを連結する連結管路６と、前記循環管路で連結管路接続箇所よりも吸込み側寄りに設けた第１開閉弁Ｖ１と、前記連結管路６と循環管路５の流出側寄りとの連結箇所に設けた第２三方弁Ｖ２と、前記循環管路５で連結管路６接続箇所よりも排出側寄りに設けた排水用三方弁Ｖ３とからなり、管路洗浄時には、前記各弁の切替えにより循環管路内の浴水をヒータ１にて高温にしつつ連結管路６を介して循環可能とし、排水時にも、前記各弁の切替えにより浴槽１０内の浴水と前記循環管路５内で浄化した浴水とを混合させて浴槽１０の外側に排出可能としてなる浴水循環装置における管路浄化装置としたことにより、各弁を操作することで比較的簡単に熱水による管路洗浄ができ、さらに排水時には低温化でき、入浴者にとって安全性を確保でき、請求項２の発明と同様な効果を奏する。
【手続補正５】
【補正対象書類名】明細書
【補正対象項目名】００２５
【補正方法】変更
【補正の内容】
【００２５】
請求項４の発明では、請求項１，２又は３において、更に管路洗浄するために洗浄開始を命令する洗浄スイッチ１５と、該洗浄スイッチ１５に応答して洗浄時間を計測する洗浄計測手段１６とを備えてなる浴水循環装置における管路浄化装置としたことにより、各弁や機器の操作は手動ながらも、洗浄開始させると、所望の時間（洗浄できる時間）を洗浄時間として、良好なる管路洗浄ができる。
【手続補正６】
【補正対象書類名】明細書
【補正対象項目名】００２６
【補正方法】変更
【補正の内容】
【００２６】
請求項５の発明では、請求項２又は３において、更に管路洗浄時の洗浄時間を開始・制御する洗浄指令手段２１と、前記管路洗浄，排水等のために制御する弁制御手段２２とを備え、前記洗浄指令手段２１は、洗浄開始時間を設定する時間設定部と、設定された洗浄開始時間と洗浄時間を記憶する時間記憶部とを有してなる浴水循環装置における管路浄化装置としたことにより、洗浄しようとする開始時間，洗浄時間等をセットしておくことで、特に、自動的に管路洗浄を行うことができ、且つこのときの弁制御にて、循環管路内の排水等も好適にできる。さらに、その他は請求項２の発明と同等な効果を発揮しうる。